(57)【要約】【課題】上記の問題を解決するためになされたものであり、搬送される原稿の表裏両面側に設置された種類の異なるイメージセンサを用いて原稿の画像を読み取る画像読取装置及び該画像読取装置を備えた画像形成装置において、省電力化を図ることのできる技術を提案する。【解決手段】画像読取指示がスタートボタンにより行われると（♯１でＹＥＳ）、制御部は、高速モードで読取動作を行うべき状況であるか高画質モードで読取動作を行うべき状況であるかを判断する（♯２）。制御部は、高画質モードで読取動作を行う状況であると判断した場合には（♯２でＹＥＳ）、ＣＩＳへの電力供給を電力制御回路に停止させた上で（♯３）、画像読取動作を行わせる（♯４）一方、高速モードで読取動作を行う状況であると判断した場合には（♯２でＮＯ）、♯３の処理をとばして♯４の処理を実行する。【選択図】図４
2009111909.tif 000002
【特許請求の範囲】
【請求項１】
原稿載置部に載置された原稿を給紙する原稿給紙部と、
縮小光学系イメージセンサを有し、前記原稿給紙部によって搬送されてくる前記原稿の一方の面の画像を、前記縮小光学系イメージセンサを用いて読み取る第１読取部と、
密着光学系イメージセンサを有し、前記原稿給紙部によって搬送されてくる前記原稿の他方の面の画像を、前記密着光学系イメージセンサを用いて読み取る第２読取部と、
前記第１読取部による前記原稿の一方の面の読み取りが終了した後、当該原稿をその他方の面が前記第１読取部に読み取られる状態として反転させて搬送する反転部と、
前記第１読取部及び第２読取部のうちいずれか一方の読取部により前記原稿の一方の面を読み取り、前記反転部による当該原稿の反転後に、前記一方の読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードのいずれかのモードで、当該各部に原稿読取動作を行わせる制御部と、
前記第１及び第２読取部への電力供給を個別に制御する電力制御回路とを備え、
前記電力制御回路は、前記両面反転読取モードの設定時、前記第１及び第２読取部のうち使用しない方の読取部への電力供給を停止する画像読取装置。
【請求項２】
当該画像読取装置の消費電力の上限値を設定する入力を行うための上限値設定部を更に備え、
前記電力制御回路は、前記上限値設定部により入力された消費電力が予め定められた閾値より小さいときに、前記第１及び第２読取部のうち使用しない方の読取部への電力供給を停止する請求項１に記載の画像読取装置。
【請求項３】
読取モードを前記両面反転読取モードと両面同時読取モードとの中から選択するための第１の入力操作部と、
前記第１及び第２読取部の読取動作により得られた画像データで構成される画像がカラー画像であるか否かを検出する検出部と、
前記検出部による検出結果に応じて、現在の読取モードの適否を判断し、現在の読取モードが不適であると判断したときには読取モードを他方の読取モードに切り替える判断部と、
前記判断部に前記読取モードの適否を判断させる判断モードに設定する入力を行うための第２の入力操作部とを備え、
前記電力制御回路は、前記第１の入力操作部により前記両面反転読取モードが選択された場合であって、前記第２の入力操作部により前記判断モードに設定する入力が行われた場合には、前記第１及び第２読取部の両方に電力供給を行う請求項１又は２に記載の画像読取装置。
【請求項４】
請求項１ないし３のいずれかに記載の画像読取装置と、
前記読取部の読取動作により得られた画像データに基づいて画像を記録紙に形成する画像形成部とを備える画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等の画像形成装置では、自動原稿送り装置（ＡＤＦ：Automatic Document Feeder）を備えた画像読取装置によって、原稿の表面及び裏面を自動的に読み取っている。この原稿読取では、原稿の表面の画像をイメージセンサが読み取った後、その原稿の表裏を反転させて、原稿裏面の画像を再度イメージセンサが読み取る方式が広く採用されている。
【０００３】
さらには、下記特許文献１に示されるように、原稿トレイからの原稿搬送路において原稿の表裏両面側にそれぞれイメージセンサを設けることで、原稿を反転させることなく１回の原稿搬送（ワンパス）で原稿両面をほぼ同時に読み取る方式を採用した画像形成装置が知られている。この原稿両面をほぼ同時に読み取る方式を採用する画像形成装置では、原稿の一方の面の読み取りは装置本体側に配設された縮小光学系イメージセンサで行い、原稿の他方の面の読み取りは、設置スペース、コスト等の関係上、自動原稿送り装置側に配設された密着光学系イメージセンサで行う場合が多い。
【０００４】
上記特許文献１に示された画像形成装置のように、原稿の表裏面を読み取るイメージセンサの光学的構成が異なると、それぞれに用いられる光源やレンズアレイ等の相違により読取画像の画質に差が生じる。また、この読取画像の画質差が、記録紙の表裏面に形成される画像の画質の差となって現れる。そのため、このような画像形成装置においては、記録紙の表裏面の画質を同一にするために、１枚の原稿を反転させて２度同じイメージセンサ（縮小光学系イメージセンサ）に搬送して当該イメージセンサで原稿の表裏面を読み取らせる両面反転読取モードと、画像の読取時間を短縮するために原稿の表裏面を縮小光学系と密着光学系の２つのイメージセンサを用いてほぼ同時に読み取らせる両面同時読取モードの２つのモードを備えている場合がある。
【特許文献１】特開２００４−１５２９９号公報
【発明の開示】
【発明が解決しようとする課題】
【０００５】
ところで、両面反転読取モードと両面同時読取モードとの２つのモードを備えた前述の画像読取装置においては、複数のイメージセンサを搭載していることにより消費電力量が非常に大きい。したがって、近年、この種の画像形成装置に対して省電力化が強く要求されていた。
【０００６】
本発明は、上記の問題を解決するためになされたものであり、搬送される原稿の表裏両面側に設置された種類の異なるイメージセンサを用いて原稿の画像を読み取る画像読取装置及び該画像読取装置を備えた画像形成装置において、省電力化を図ることのできる技術を提案することを目的とする。
【課題を解決するための手段】
【０００７】
請求項１に記載の発明は、原稿載置部に載置された原稿を給紙する原稿給紙部と、縮小光学系イメージセンサを有し、前記原稿給紙部によって搬送されてくる前記原稿の一方の面の画像を、前記縮小光学系イメージセンサを用いて読み取る第１読取部と、密着光学系イメージセンサを有し、前記原稿給紙部によって搬送されてくる前記原稿の他方の面の画像を、前記密着光学系イメージセンサを用いて読み取る第２読取部と、前記第１読取部による前記原稿の一方の面の読み取りが終了した後、当該原稿をその他方の面が前記第１読取部に読み取られる状態として反転させて搬送する反転部と、前記第１読取部及び第２読取部のうちいずれか一方の読取部により前記原稿の一方の面を読み取り、前記反転部による当該原稿の反転後に、前記一方の読取部が当該原稿の他方の面を読み取る両面反転読取モードと、前記原稿給紙部による一度の原稿搬送で、前記第１読取部が当該原稿の一方の面を読み取り、前記第２読取部が当該原稿の他方の面を読み取る両面同時読取モードのいずれかのモードで、当該各部に原稿読取動作を行わせる制御部と、前記第１及び第２読取部への電力供給を個別に制御する電力制御回路とを備え、前記電力制御回路は、前記両面反転読取モードの設定時、前記第１及び第２読取部のうち使用しない方の読取部への電力供給を停止する画像読取装置である。
【０００８】
この発明によれば、前記両面反転読取モードにおいては、前記第１及び第２読取部のうちいずれか一方の読取部を使用しないことから、電力制御回路は、この使用しない方の読取部への電力供給を停止することで、前記使用しない方の読取部にも電力供給を行う場合に比して、省電力化を図ることができる。
【０００９】
請求項２に記載の発明は、請求項１に記載の画像読取装置において、当該画像読取装置の消費電力の上限値を設定する入力を行うための上限値設定部を更に備え、前記電力制御回路は、前記上限値設定部により入力された消費電力が予め定められた閾値より小さいときに、前記第１及び第２読取部のうち使用しない方の読取部への電力供給を停止するものである。
【００１０】
この発明によれば、ユーザが入力操作部を用いて予め定められた閾値より小さい消費電力の上限値を設定する入力を行ったときには、当該画像形成装置の消費電力の上限値が前記閾値以下に抑えられるように、前記第１及び第２読取部のうち使用しない方の読取部への電力供給が停止される。これにより、当該画像形成装置の消費電力の上限値が前記閾値以下に抑えられるようにしない構成に比して、前記第１及び第２読取部のうち使用しない方の読取部への電力供給が停止される分、省電力化を図ることができる。
【００１１】
請求項３に記載の発明は、請求項１又は２に記載の画像読取装置において、読取モードを前記両面反転読取モードと両面同時読取モードとの中から選択するための第１の入力操作部と、前記第１及び第２読取部の読取動作により得られた画像データで構成される画像がカラー画像であるか否かを検出する検出部と、前記検出部による検出結果に応じて、現在の読取モードの適否を判断し、現在の読取モードが不適であると判断したときには読取モードを他方の読取モードに切り替える判断部と、前記判断部に前記読取モードの適否を判断させる判断モードに設定する入力を行うための第２の入力操作部とを備え、前記電力制御回路は、前記第１の入力操作部により前記両面反転読取モードが選択された場合であって、前記第２の入力操作部により前記判断モードに設定する入力が行われた場合には、前記第１及び第２読取部の両方に電力供給を行うものである。
【００１２】
この発明によれば、第２の入力操作部により前記判断モードに設定する入力が行われると、前記第１及び第２読取部の読取動作により得られた画像データで構成される画像がカラー画像であるか否かが前記検出部により検出され、判断部により、前記検出結果に応じて、現在の読取モードの適否を判断し、現在の読取モードが不適であると判断したときには読取モードが他方の読取モードに切り替えられる。
【００１３】
そして、このような判断モードが、前記第１の入力操作部により両面反転読取モードが選択された場合において設定された場合には、例外的に、前記第１及び第２読取部の両方に電力供給が前記電力制御回路により行われる。これにより、前記第１及び第２読取部の両方に電力が供給されることとなるから、前記検出部による検出処理を確実に実行することができる。
【００１４】
請求項４に記載の発明は、請求項１ないし３のいずれかに記載の画像読取装置と、前記読取部の読取動作により得られた画像データに基づいて画像を記録紙に形成する画像形成部とを備える画像形成装置である。
【００１５】
この発明によれば、請求項１ないし３のいずれかに記載の発明によって得られる作用を奏する。
【発明の効果】
【００１６】
本発明によれば、搬送される原稿の表裏両面側に設置された種類の異なるイメージセンサを用いて原稿の画像を読み取る画像読取装置及び該画像読取装置を備えた画像形成装置において、省電力化を実現することができる。
【発明を実施するための最良の形態】
【００１７】
以下、本発明に係る画像読取装置及び画像形成装置の実施形態について図面を参照して説明する。尚、以下の実施形態では、本発明に係る画像読取装置及び画像形成装置を、カラーコピー、スキャナ、ファクシミリ、プリンタ等の機能を備えた複合機に集約した形態を例に説明する。
【００１８】
図１は本発明に係る画像読取装置及び画像形成装置の一実施形態である複合機１の内部構成を模式的に示した縦断面図である。複合機１は大きく分けると画像読取装置２と装置本体３とからなる。画像読取装置２は、原稿給紙部２１とスキャナ部２２とＣＩＳ２３１と操作部５と、更に後述する反転機構及び制御部６１（図３参照）を備えてなる。原稿給紙部２１はＡＤＦ（Automatic Document Feeder）を備え、原稿トレイ２１１、ピックアップローラ２１２、搬送ドラム２１３、排紙ローラ２１４及び排紙トレイ２１５を有する。原稿トレイ２１１には、読取対象とされる原稿が載置される。原稿トレイ２１１に載置された原稿は１枚ずつピックアップローラ２１２によって取り込まれて搬送ドラム２１３へ搬送される。搬送ドラム２１３を経由した原稿は排紙ローラ２１４によって排紙トレイ２１５へ排出される。
【００１９】
スキャナ部（第１読取部）２２は、原稿の画像を光学的に読み取って画像データを生成するものである。スキャナ部２２は、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。このスキャナ部２２は、光源２２２として冷陰極蛍光管等の白色蛍光ランプが用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。スキャナ部２２は、光源２２２として冷陰極蛍光管等の白色蛍光ランプを用いていることから、光源として３色ＬＥＤ等が用いられる後述のＣＩＳ２３１よりも色再現性に優れる。
【００２０】
プラテンガラス２２１には、上記原稿給紙部２１によらない原稿読取時に、ユーザの手動により原稿が載置される。プラテンガラス２２１は、光源２２２及び第１ミラー２２３は第１キャリッジ２２６によって支持され、第２ミラー２２４及び第３ミラー２２５は第２キャリッジ２２７によって支持されている。
【００２１】
画像読取装置２の原稿読取方式としては、プラテンガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。第１キャリッジ２２６及び第２キャリッジ２２７は、主走査方向と直交する方向（副走査方向、矢印Ｙ方向）に移動可能に構成されており、１ライン分の読み取りが終了すると、当該主走査方向と直交する方向に第１キャリッジ２２６及び第２キャリッジ２２７が移動し、次のラインの読み取りが行われる。
【００２２】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方位置に配置される。原稿給紙部２１による原稿搬送で、原稿が搬送ドラム２１３から排紙トレイ２１５への搬送経路に設けられた読取窓２３０上を通過するとき、光源２２２が原稿を照射し、主走査１ライン分の反射光が第１ミラー２３３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００２３】
更に、原稿給紙部２１は切換ガイド２１６、反転ローラ２１７及び反転搬送路２１８からなる原稿反転機構（反転部）を有する。この原稿反転機構が、１回目のＡＤＦ読み取りによって表面（原稿の一方の面）が読み取られた原稿を表裏反転させて読取窓２３０（スキャナ部２２）に再搬送することで、再度ＣＣＤ２２９によって裏面（原稿の他方の面）の読み取りが行わせる。この原稿反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７によって反転搬送路２１８へ搬送される。その後、切換ガイド２１６は上側へ切り替わり、反転ローラ２１７が逆回転して原稿を搬送ドラム２１３へ再給紙する。以下、原稿反転機構を用いて原稿の両面を読み取らせるモードを両面反転読取モード又は高画質モードと表記する。
【００２４】
更に、本実施形態の画像読取装置２は、ＡＤＦ読取モード時において、上記で説明したように原稿の搬送途中でＣＣＤ２２９（スキャナ部２２）によって原稿の表面の読み取りを行わせると略同時に（略並行して）、ＣＩＳ（第２読取部）２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モード又は高速モードと表記する。また、以下の説明においては、スキャナ部２２とＣＩＳ２３１との違いを明瞭にするため、スキャナ部２２をＣＣＤ２２９と表記するものとする。
【００２５】
ここで、高画質モード（両面反転読取モード）と高速モード（両面同時読取モード）について説明する。高画質モードでは原稿両面の読み取りが同じイメージセンサ（ＣＣＤ２２９）によって行われるため、取得した画像データに基づいて両面印刷を行っても、両面の印刷画像の画質に差はない。しかし、高速モードでは原稿の表面はＣＣＤ２２９、裏面はＣＩＳ２３１という異なるイメージセンサで読み取りが行われるため、特にカラー原稿の場合、それぞれのイメージセンサが取得した画像データに基づいて両面印刷を行うと、両面の印刷画像の画質に差が生じる。これは、ＣＣＤ２２９、ＣＩＳ２３１が原稿読み取りの際に用いる上述した光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質差の原因となっていると考えられる。
【００２６】
従って、本実施形態の複合機１においては、上記画質差の発生を解決するために、ＡＤＦ読取モードを用いて原稿の両面読み取りを行う際、ユーザは高画質モード（両面反転読取モード）又は高速モード（両面同時読取モード）の何れかを選択することができるようになっている。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）とする等、ユーザは状況に応じてモードを後述する操作部５を用いて選択することができる。なお、本実施形態における複合機１は、高速モードに初期設定されており、前記読取モードのモード設定操作が何も行われないまま画像形成指示が入力された場合には、高速モードで原稿の画像読取動作が行われるようになっている。
【００２７】
さらに、複合機１は、装置本体３と、装置本体３の左方に配設されたスタックトレイ６とを有している。装置本体３は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。また、装置本体３は、給紙トレイ４７１と該給紙トレイ４７１に載置された原稿を１枚ずつ記録部４０に向けて繰り出す繰り出しローラ４７２とを備える。
【００２８】
記録部（画像形成部）４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、記録部４０を通過した記録紙をスタックトレイ６又は排出トレイ４８まで搬送する搬送ローラ４６３，４６４等が設けられている。
【００２９】
記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ６又は排出トレイ４８に排出する。
【００３０】
また、装置本体３の前方には、ユーザが操作画面や各種メッセージ等を視認することができる表示部や、種々の操作命令を入力するための操作ボタンを有する操作部５が備えられている。図２は操作部５の正面図の一例である。この操作部５は、表示部５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーサーに対する操作案内画面が表示される。この表示部５１はタッチパネル５２と一体的に形成されている。タッチパネル５２は、ユーザによるタッチ操作がなされたら、タッチ位置を検知して検知信号を、後述する制御部６１へ出力するものである。
【００３１】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００３２】
図３は、複合機１の電気的な構成を示すブロック図である。尚、図１、図２に示した各部と同一のものには同一の符号を付して詳細な説明は省略する。複合機１は、原稿給紙部２１、スキャナ部２２、ＣＩＳ２３１、操作部５、画像処理部６４、記録部４０、通信部６６、電力制御回路６７及び制御部６１を備えて構成される。
【００３３】
原稿給紙部２１は、前記ＡＤＦ読取モードで原稿のコピーやスキャンが行われる際に、原稿トレイ２１１に載置された原稿を自動的に取り込んで、ＣＣＤ２２９やＣＩＳ２３１による原稿の読み取りが可能なように搬送する。操作部５は、図１に示す操作部５に相当するものである。スキャナ部２２、ＣＩＳ２３１及び操作部５は、図１、図２に示すスキャナ部２２、ＣＩＳ２３１及び操作部５に相当するものである。
【００３４】
画像処理部６４は、画像データに関する各種画像処理を行うものである。例えば、画像処理部６４は、ＣＣＤ２２９又はＣＩＳ２３１によって取得された画像データや、ネットワーク接続されたパーソナルコンピュータ、公衆回線で接続されたファクシミリ装置等から通信部６６を介して転送されてくる画像データに対して、レベル補正、ガンマ補正等の補正処理、画像データの圧縮又は伸長処理、拡大又は縮小処理などの画像加工処理を行う。
【００３５】
記録部４０は、ＣＣＤ２２９又はＣＩＳ２３１によって得られた画像データや、上記パーソナルコンピュータやファクシミリ装置等から通信部６６を介して転送された画像データに基づいた画像を記録紙に形成する。
【００３６】
通信部６６は、ネットワークインターフェースを用い、ネットワークを介して接続されたコンピュータやファクシミリ装置等の外部装置との間で種々のデータの送受信を行うものである。
【００３７】
電力制御回路６７は、スキャナ部２２及びＣＩＳ２３１への電力供給を個別に制御するものである。
【００３８】
制御部６１は、複合機１の全体動作制御を司るものであり、ＣＰＵ等によって構成される。上記原稿給紙部２１、スキャナ部２２、ＣＩＳ２３１、操作部５、画像処理部６４、記録部４０及び通信部６６は、制御部６１による制御の下で動作する。制御部６１は、ユーザから操作部５に入力された各種の指示信号等に応じて、図略のＲＯＭ又はＨＤＤに記憶されている動作制御プログラムに基づいた処理を実行し、各機能部への指示信号の出力、データ転送等を行って複合機１を統括的に制御し、特に本実施形態においては、電力制御部６１１としての機能を有する。
【００３９】
電力制御部６１１は、前記電力制御回路６７に電力供給に関する指示を出力するものであり、本実施形態においては、省電力化を図るべく、当該複合機１が高画質モード（両面反転読取モード）に設定されているとき、ＣＩＳ２３１への電力供給を前記電力制御回路６７にオフさせる。
【００４０】
次に、制御部６１による電力供給に係る処理について説明する。図４は、制御部６１による電力供給に係る処理を示すフローチャートである。
【００４１】
図４に示すように、スタートボタン５５が押下される（画像読取指示が行われる）と（ステップ♯１でＹＥＳ）、制御部６１は、高速モードで読取動作を行うべき状況であるか高画質モードで読取動作を行うべき状況であるかを判断する（ステップ♯２）。制御部６１は、高画質モードで読取動作を行う状況であると判断した場合には（ステップ♯２でＹＥＳ）、ＣＩＳ２３１への電力供給を前記電力制御回路６７に停止させた上で（ステップ♯３）、画像読取動作を行わせる（ステップ♯４）一方、高速モードで読取動作を行う状況であると判断した場合には（ステップ♯２でＮＯ）、ステップ♯３の処理をとばしてステップ♯４の処理を実行する。
【００４２】
以上のように、本実施形態では、高画質モードにおいては、ＣＩＳ２３１は使用しないことから、該ＣＩＳ２３１への電力供給を電力制御回路６７に停止させることにより、ＣＩＳ２３１及びＣＣＤ２２９の両方に電力供給を行う場合に比して省電力化を図ることができる。
【００４３】
なお、本件は、前記実施形態に代えて、又は前記実施形態に加えて次のような変形形態も採用可能である。
【００４４】
［１］商用電源の定格電力の関係から、装置におけるピークの消費電力（以下、ピーク電力という）を所望の電力値（例えば１５００（Ｗ）とか１０００（Ｗ）など）に収めたい場合がある。本実施形態では、この点を考慮して、前記ピーク電力をユーザが設定する機能を搭載し、さらに、そのピーク電力に応じてＣＩＳ２３１及びＣＣＤ２２９への電力供給のオンオフを制御する機能を搭載している。
【００４５】
具体的には、図５に示すように、本実施形態の複合機１は、図略の設定画面において所定の操作を行うことで、表示部５１にピーク電力を低減する入力を行うための入力画面が表示される。通常、複合機１は、ピーク電力が１５００（Ｗ）であり、省電力を図るため、このピーク電力を低減したい場合に、この入力画面を表示部５１に表示させる。図５では、「１５００（Ｗ）」及び「１０００（Ｗ）」が指定可能なピーク電力として設定されたピーク電力選択画面が表示されている例を示しており、「１５００（Ｗ）」の表示領域又は「１０００（Ｗ）」の表示領域を押圧することで、ピーク電力を指定する入力が行われるようになっている。
【００４６】
例えば複合機１が通常のモードに設定されている場合において、前記入力画面で「１０００（Ｗ）」が指定された場合には、ピーク電力が１０００（Ｗ）に低減されたピーク電力低減モードに設定され、複合機１が前記ピーク電力低減モードに設定されている場合において、前記入力画面で「１５００（Ｗ）」が指定された場合には、ピーク電力が１５００（Ｗ）に増大された通常のモードに設定される。
【００４７】
電力制御部６１１（図３参照）は、複合機１が高画質モードに設定されている場合において、通常のモードから前記ピーク電力モードに切り替えられたときに、ＣＩＳ２３１への電力供給を前記電力制御回路６７に停止させる。
【００４８】
次に、本実施形態における制御部６１の電力供給制御処理について説明する。図６は、制御部６１による電力供給制御処理を示すフローチャートである。なお、ここでも、「１５００（Ｗ）」及び「１０００（Ｗ）」が指定可能なピーク電力として設定されているものとする。
【００４９】
図６に示すように、スタートボタン５５が押下される（画像形成指示が行われる）と（ステップ♯１１でＹＥＳ）、制御部６１は、高速モードで読取動作を行うべき状況であるか高画質モードで読取動作を行うべき状況であるかを判断する（ステップ♯１２）。制御部６１は、高画質モードで読取動作を行う状況であると判断した場合には（ステップ♯１２でＹＥＳ）、ピーク電力が１０００（Ｗ）に設定されているか否かを判断する（ステップ♯１３）。
【００５０】
制御部６１は、ピーク電力が１０００（Ｗ）に設定されている場合には（ステップ♯１３でＹＥＳ）、ＣＩＳ２３１への電力供給を前記電力制御回路６７に停止させた上で（ステップ♯３）、画像読取動作を行わせる（ステップ♯４）一方、ピーク電力が１０００（Ｗ）に設定されていない場合、すなわちピーク電力が１５００（Ｗ）に設定されている場合には（ステップ♯１３でＮＯ）、ステップ♯１３の処理をとばしてステップ♯１４の処理を実行する。また、制御部６１は、ステップ♯１２において高速モードで読取動作を行う状況であると判断した場合にも（ステップ♯１２でＮＯ）、ステップ♯１３の処理をとばしてステップ♯１４の処理を実行する。
【００５１】
以上のように、複合機１が高画質モードに設定されている場合において、特にユーザにより複合機１のピーク電力を低減させる指示が入力されたときに、ＣＩＳ２３１への電力供給をオフするようにしたので、ユーザが意図するときに省電力化を図ることができる。なお、ここでは、２つの異なるピーク電力から所望の消費電力を選択できるようにしたが、ピーク電力の設定数は２つに限られず、複数のピーク電力を設定してもよく、それらの中から所望の消費電力を選択できるようにしてもよい。
【００５２】
［２］前記実施形態では、読取モードとして前記両面反転読取モードが設定されているときには、ＣＩＳ２３１への電力供給を停止するようにしたが、次のような構成を有する場合には、両面反転読取モードに設定されている場合であっても、例外的にＣＩＳ２３１への電力供給を行うようにするとよい。
【００５３】
すなわち、本実施形態の複合機１は、ＣＣＤ２２９及びＣＩＳ２３１の読取動作で得られた画像データで構成される画像がカラー画像であるか否かを検出する検出部と、前記検出部により１枚の原稿に対して得られた２つの画像のうち一方でもカラー画像であるか否かの検出結果に応じて、現在の読取モードの適否を判断し、現在の読取モードが不適切であると判断すると、読取モードを他方の読取モードに自動的に切り替える判断部と、前記判断部の機能を利用するか否かを入力するための入力部とが備えられている。
【００５４】
なお、読取モードの適否の一例を挙げると、例えば、１枚の原稿のうち表面及び裏面の画像の少なくとも一方がカラー画像である場合には、比較的顕著となる、表面の画像と裏面の画像の画質差を解消するため両面反転読取モードで読取動作を行うという場合が好適な場合の一例であり、前記原稿に対して両面同時読取モードで読取動作を行うという場合が不適切な場合の一例である。
【００５５】
このような構成において、前記入力部により前記判断部の機能を利用する旨の入力が行われた場合には、前記検出部及び判断部に動作を行わせるべくＣＣＤ２２９及びＣＩＳ２３１の両方に読取動作を行わせる必要があるため、両面反転読取モードが設定されている状態で、前記検出部及び判断部を動作させる場合には、ＣＩＳ２３１にも電力を供給するとよい。なお、検出部、判断部及び入力部は図示を省略している。
【００５６】
これにより、両面反転読取モードに設定されている場合であっても、検出部による検出処理を確実に実行することができる。
【００５７】
［３］前記実施形態では、高画質モードにおいては、ＣＩＳ２３１は使用しないことから、該ＣＩＳ２３１への電力供給をオフするようにしたが、前記高画質モード及び高速モード以外のモードとして、反転ローラ２１７及び反転搬送路２１８からなる前記原稿反転機構を用いて、全ての原稿における表裏両面の画像をＣＩＳ２３１でのみ読み取るモードが備えられている場合に、該モードを用いて原稿の読取動作を行うときには、ＣＣＤ２２９は使用しないことから、該ＣＣＤ２２９への電力供給をオフするようにすると、ＣＩＳ２３１及びＣＣＤ２２９の両方に電力を供給する場合に比して省電力化を図ることができる。
【００５８】
［４］本発明は上記実施の形態の構成に限られず種々の変形が可能である。例えば、上記では、本発明に係る画像読取装置及び画像形成装置の構成及び処理の実施形態を図１乃至図６に示したが、これらはあくまでも一例に過ぎず、本発明に係る画像読取装置及び画像形成装置、上述した構成及び制御に限定する趣旨ではない。
【図面の簡単な説明】
【００５９】
【図１】本発明に係る画像形成装置の一実施形態である複合機の内部構成を模式的に示した縦断面図である。
【図２】操作部の正面図の一例である。
【図３】複合機の電気的構成を示すブロック図である。
【図４】制御部による電力供給に係る処理を示すフローチャートである。
【図５】ピーク電力を選択する入力を行うための入力画面を示す図である。
【図６】制御部による電力供給に係る処理の変形形態を示すフローチャートである。
【符号の説明】
【００６０】
１          複合機
２          画像読取装置
５          操作部
２１        原稿給紙部
２２        スキャナ部
４０        記録部
６１        制御部
６１１      電力制御部
６７        電力制御回路
２２９      ＣＣＤ
２３１      ＣＩＳ
【図２】
2009111909.tif 000003
【図３】
2009111909.tif 000004
【図４】
2009111909.tif 000005
【図５】
2009111909.tif 000006
【図６】
2009111909.tif 000007
【図１】
2009111909.tif 000008